(57)【要約】【課題】短波長の光束を用いて、異なる高密度ディスクに対する情報の記録及び再生動作を適切に行う。【解決手段】  光ピックアップ光学系は、可動レンズ群を含む複数のレンズ群を有するリレーレンズ群ＲＥＬと、対物レンズＯＬとを有する。リレーレンズ群ＲＥＬは、第１光ディスクに再生記録を行う場合には、対物レンズＯＬの倍率が-1/100より大きく、1/50より小さくなるように光束を出射し、第２光ディスクに再生記録を行う場合には、対物レンズＯＬに対して発散光を出射する。可動レンズ群に関して、第１光ディスクの再生記録を行う場合における可動レンズ群の位置から第２光ディスクの再生記録を行う場合における可動レンズ群の位置までの移動量δ[mm]は７．５≦（ＮＡ1・δ）／（ｔ2−ｔ1）≦２２を満たす。ＮＡ1は第１光ディスクに再生記録を行う場合の対物レンズＯＬの開口数である。【選択図】図１
2006260746.tif 000002
【特許請求の範囲】
【請求項１】
厚さｔ1[mm]の第１保護基板を有する第１光ディスクおよび厚さｔ2[mm]（ｔ1＜ｔ2）の第２保護基板を有する第２光ディスクに対して、光源から出射される光束を用いて情報の再生及び／又は記録を行う光ピックアップ装置に用いられる光ピックアップ光学系において、
光軸方向に沿って移動可能である少なくとも１つの可動レンズ群を含む複数のレンズ群を有するリレーレンズ群と、
前記リレーレンズ群を介して、前記光源から出射された前記光束を前記第１光ディスク又は前記第２光ディスクの情報記録面上に集光させる対物レンズとを有し、
前記リレーレンズ群は、前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満たすことを特徴とする光ピックアップ光学系。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【請求項２】
前記第１及び第２保護基板の厚さは、以下の式を満すことを特徴とする請求項１に記載の光ピックアップ光学系。
０．０６[mm]≦ｔ1≦０．１１[mm]    
０．５４[mm]≦ｔ2≦０．６２[mm]    
【請求項３】
前記複数のレンズ群は、前記対物レンズに近い側から順番に、正の屈折力を有する第２レンズ群と負の屈折力を有する第１レンズ群とからなり、
前記第１レンズ群は、前記可動レンズ群であることを特徴とする請求項１または２に記載の光ピックアップ光学系。
【請求項４】
前記第１レンズ群は、負の屈折力を有する単レンズのみからなり、
前記リレーレンズ群は、以下の式を満すことを特徴とする請求項３に記載の光ピックアップ光学系。
−３．５≦ｐ1／ｐ2≦−１．８    
ただし、ｐ1は前記第１レンズ群の屈折力、ｐ2は前記第２レンズ群の屈折力である。
【請求項５】
前記第２レンズ群は単レンズからなり、前記単レンズは前記第１レンズ群側の第１光学面と前記対物レンズ側の第２光学面とを有し、前記第２光学面が凸面であることを特徴とする請求項３又は請求項４に記載の光ピックアップ光学系。
【請求項６】
前記対物レンズの開口数ＮＡ1は、０．８以上であって、
前記リレーレンズ群は、吸水率が０．１％以下のプラスチックによって形成されたレンズを含むことを特徴とする請求項３から請求項５のいずれか一項に記載の光ピックアップ光学系。
【請求項７】
前記第２レンズ群は、吸水率が０．１％以下であるプラスチックによって形成された単レンズからなることを特徴とする請求項６に記載の光ピックアップ光学系。
【請求項８】
前記第２レンズ群は、光軸に対して垂直方向に移動可能であることを特徴とする請求項７に記載の光ピックアップ光学系。
【請求項９】
前記複数のレンズ群は、前記対物レンズに近い側から順番に、正の屈折力を有する第３レンズ群と、負の屈折力を有する第２レンズ群と、正の屈折力を有する第１レンズ群とからなり、
前記第１レンズ群及び前記第２レンズ群が前記可動レンズ群であることを特徴とする請求項１又は請求項２に記載の光ピックアップ光学系。
【請求項１０】
前記第２レンズ群に関して、前記第１光ディスクの再生及び／又は記録を行う場合における前記第２レンズ群の位置から前記第２光ディスクの再生及び／又は記録を行う場合における前記第２レンズ群の位置までの移動量δ[mm]は、以下の条件式を満たすことを特徴とする請求項９に記載の光ピックアップ光学系。
８≦（ＮＡ1・δ）／（ｔ2−ｔ1）≦１５
【請求項１１】
前記リレーレンズ群が、以下の式を満すことを特徴とする請求項９又は請求項１０に記載の光ピックアップ光学系。
０．７≦ｐ1／ｐ3≦１．６    
−５≦ｐ2／ｐ3≦−３．７    
ただし、ｐ1は前記第１レンズ群の屈折力、ｐ2は前記第２レンズ群の屈折力、ｐ3は前
記第３レンズ群の屈折力である。
【請求項１２】
前記第３レンズ群は単レンズからなり、前記単レンズは前記第２レンズ群側の第１光学面と前記対物レンズ側の第２光学面を有し、この第２光学面が凸面であることを特徴とする請求項９から請求項１１のいずれか一項に記載の光ピックアップ光学系。
【請求項１３】
前記第２レンズ群は単レンズからなり、前記単レンズは前記第１レンズ群側の第１光学面と前記第３レンズ群側の第２光学面を有し、この第１光学面が凹面であることを特徴とする請求項９から請求項１２のいずれか一項に記載の光ピックアップ光学系。
【請求項１４】
前記対物レンズの開口数ＮＡ1は、０．８以上であり、
前記リレーレンズ群は、吸水率が０．１％以下のプラスチックによって形成されたレンズを含むことを特徴とする請求項９から請求項１３のいずれか一項に記載の光ピックアップ光学系。
【請求項１５】
前記第３レンズ群は、吸水率が０．１％以下であるプラスチックによって形成された単レンズからなることを特徴とする請求項１４に記載の光ピックアップ光学系。
【請求項１６】
以下の式を満すことを特徴とする請求項１から請求項１５のいずれか一項に記載の光ピックアップ光学系。
０．９５≦ＮＡ1・ＴＦ1／（ＮＡ2・ＴＦ2）≦１．０５    
ただし、ＴＦ1は前記第１光ディスクに記録又は再生動作を行う際の前記リレーレンズ
群と前記対物レンズとの合成焦点距離、ＴＦ2は前記第２光ディスクに記録又は再生動作
を行う際の前記リレーレンズ群と前記対物レンズとの合成焦点距離、ＮＡ2は前記第２光
ディスクに記録又は再生動作を行う際の前記対物レンズの開口数である。
【請求項１７】
前記対物レンズに発散光または収束光が入射する場合、
前記複数のレンズ群のうち、前記対物レンズの近傍側に配設されたレンズ群が、光軸と直交する方向に移動する当該対物レンズと反対方向に移動可能であることを特徴とする請求項１から請求項１６のいずれか一項に記載の光ピックアップ光学系。
【請求項１８】
前記第１光ディスクに記録又は再生動作を行う際には、前記対物レンズに平行光又は略平行光が入射し、前記第２光ディスクに記録又は再生動作を行う際には、前記対物レンズに発散光が入射し、前記対物レンズを光軸と直交する方向に移動させ、前記リレーレンズ群を構成するレンズ群のうち、前記対物レンズの近傍側に配設されたレンズ群を、前記対物レンズと反対方向に移動させることを特徴とする請求項１７に記載の光ピックアップ光学系。
【請求項１９】
以下の式を満すことを特徴とする請求項１から請求項１８のいずれか一項に記載の光ピックアップ光学系。
０．６≦ＴＯ／ＴＲ≦１．５    
ただし、ＴＯはトラッキング時における光軸と直交する方向への当該対物レンズの移動量の絶対値、ＴＲは前記トラッキング時における前記リレーレンズ群の少なくとも一つのレンズ群の光軸と直交する方向への移動量の絶対値である。
【請求項２０】
前記複数のレンズ群のうち、前記対物レンズに最も近接して配設されたレンズ群が、吸水率が０．１％以下であって、比重が１．５以下であるプラスチックによって形成されたレンズからなることを特徴とする請求項１７または請求項１８に記載の光ピックアップ光学系。
【請求項２１】
前記対物レンズは、２つのレンズからなることを特徴とする請求項１から請求項２０のいずれか一項に記載の光ピックアップ光学系。
【請求項２２】
前記２つのレンズのうち、光ディスクの遠方側に配設されたレンズが位相構造を有することを特徴とする請求項２１記載の光ピックアップ光学系。
【請求項２３】
以下の式を満すことを特徴とする請求項２１または請求項２２に記載の光ピックアップ光学系。
０．０５≦ＰＯ1／ＰＯ2≦０．２    
ただし、ＰＯ1は前記２つのレンズのうち、前記リレーレンズ群の近傍側に配設された
レンズの屈折力、ＰＯ2は前記２つのレンズのうち、前記リレーレンズ群の遠方側に配設
されたレンズの屈折力である。
【請求項２４】
前記光ピックアップ光学系は、コリメーターレンズを有し、
前記コリメーターレンズは、前記光源から出射された前記光束の光路中であって、前記リレーレンズ群よりも対物レンズから離れた位置に配置されていることを特徴とする請求項１から請求項２３のいずれか一項に記載の光ピックアップ光学系。
【請求項２５】
前記光ピックアップ装置は、前記第１光ディスクと前記第２光ディスクの再生及び／又は記録を同一の光束を用いて行うことを特徴とする請求項１から請求項２４のいずれか一項に記載の光ピックアップ光学系。
【請求項２６】
前記光ピックアップ装置は、前記第１光ディスクと前記第２光ディスクの再生及び／又は記録を、異なる波長の光束を用いて行うことを特徴とする請求項１から請求項２４のいずれか一項に記載の光ピックアップ光学系。
【請求項２７】
以下の式を満たすことを特徴とする請求項１から請求項２６のいずれか一項に記載の光ピックアップ光学系。
r1×0.8 < r2 < r1×1.2
ただし、r1は前記第１光ディスクの再生及び／又は記録を行う場合の前記リレーレンズ
群の入射瞳径、r2は前記第２光ディスクの再生及び／又は記録を行う場合の前記リレーレンズの入射瞳径である。
【請求項２８】
厚さｔ1[mm]の第１保護層を有する第１光ディスクおよび厚さｔ2[mm]（ｔ1＜ｔ2）の第２保護層を有する第２光ディスクに対して、光束を用いて情報の再生及び／又は記録を行う光ピックアップ装置において、
前記光束を出射する光源と、光ピックアップ光学系とを有し、
前記光ピックアップ光学系は、
光軸方向に沿って移動可能である少なくとも１つの可動レンズ群を含む複数のレンズ群を有するリレーレンズ群と、
前記リレーレンズ群を介して、前記光源から出射された前記光束を前記第１光ディスクまたは前記第２光ディスクの情報記録面上に集光させる対物レンズとを有し、
前記リレーレンズ群は、前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満たすことを特徴とする光ピックアップ装置。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【請求項２９】
厚さｔ1[mm]の第１保護層を有する第１光ディスクおよび厚さｔ2[mm]（ｔ1＜ｔ2）の第２保護層を有する第２光ディスクに対して、光束を用いて情報の再生及び／又は記録を行う光ピックアップ装置を有する光ディスク記録再生装置において、
前記光ピックアップ装置は、前記光束を出射する光源と、光ピックアップ光学系とを有し、
前記光ピックアップ光学系は、
光軸方向に沿って移動可能である少なくとも１つの可動レンズ群を含む複数のレンズ群を有するリレーレンズ群と、
前記リレーレンズ群を介して、前記光源から出射された前記光束を前記第１光ディスクまたは前記第２光ディスクの情報記録面上に集光させる対物レンズとを有し、
前記リレーレンズ群は、前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満たすことを特徴とする光ディスク記録再生装置。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【請求項３０】
厚さｔ1[mm]の第１保護層を有する第１光ディスクおよび厚さｔ2[mm]（ｔ1＜ｔ2）の第２保護層を有する第２光ディスクに対して、光源から出射される光束を用いて情報の再生及び／又は記録を行う光ピックアップ装置の光ピックアップ光学系に用いられるリレーレンズ群において、
前記光源と、当該光源から出射された前記光束を前記第１光ディスク又は前記第２光ディスクの情報記録面上に集光させる対物レンズとの間に配置され、
光軸方向に沿って移動可能である少なくとも１つの可動レンズ群を含む複数のレンズ群を有し、
前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満たすことを特徴とするリレーレンズ群。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【発明の詳細な説明】
【技術分野】
【０００１】
本発明は、光ピックアップ光学系、光ピックアップ装置、光ディスク記録再生装置及びリレーレンズ群に係り、特に、異なる種類の光情報記録媒体に対して互換可能に情報の記録及び再生動作の少なくとも１つを行うことが可能な光ピックアップ光学系、光ピックアップ装置、光ディスク記録再生装置及びリレーレンズ群に関する。
【背景技術】
【０００２】
近年、短波長赤色半導体レーザの実用化に伴い、従来の光ディスク（光情報記録媒体ともいう）であるＣＤ（Compact Disc）と同程度の大きさを維持しつつ、大容量の情報を記録可能な高密度の光ディスクであるＤＶＤ（Digital Versatile Disc）が製品化されている。
最近では、より大容量の情報が記録可能な次世代の光ディスクが開発されているが、このような次世代光ディスクを媒体とした光ピックアップ装置における集光光学系は、記録信号の高密度化及び高密度記録信号の再生を図るために、対物光学系を介して情報記録面上に集光するスポッ卜の径寸法を小さくすることが要求されている。このため、光源であるレーザの短波長化が要求されており、具体的には、波長４００ｎｍ程度の青紫色半導体レーザの実用化が期待されている。
【０００３】
このような波長４００ｎｍ程度の青紫色半導体レーザを用いて、情報の記録及び／又は再生動作を行う次世代の光ディスク、いわゆる高密度光ディスクとしては、ＨＤ  ＤＶＤ（High Definition DVD：以下、ＨＤという。）や、Blu-ray Disc（以下、ＢＤという。
）等が挙げられる。このうち、ＨＤは、開口数ＮＡが０．６７、光源波長が４０５ｎｍ、保護層の厚さ寸法が０．６ｍｍに設計され、ＤＶＤと同じ直径１２ｃｍの光ディスクに対して、１面あたり１５〜２０ＧＢの情報の記録が可能である。一方、ＢＤは、開口数ＮＡが０．８５、光源波長が４０５ｎｍ、保護層（保護基板又は保護膜ともいう。）の厚さ寸法が０．１ｍｍに設計され、直径１２ｃｍの光ディスクに対して、１面あたり２０〜３０ＧＢの情報の記録が可能である。
【０００４】
しかし、現段階においては、２種類の高密度光ディスクの規格が決定しており、双方の高密度光ディスクに対して各種情報が記録されたソフトの販売が予定されているため、消費者の観点からすると、一種類の高密度光ディスクのみに対して適切に情報を記録及び再生動作を行うことができるというだけでは、使い勝手が非常に悪く、光ピックアップ装置としての機能を十分に発揮するものではないといった問題が生じていた。
【０００５】
そこで、保護層の肉厚と光源波長が互いに異なる光ディスク対して互換可能に情報の記録動作等を行うことが可能な対物光学系として、回折構造によって発生する球面収差の波長依存性を利用して保護層厚みに起因する球面収差を補正する対物光学系が開発されている（例えば、特許文献１参照）。
【０００６】
また、保護層厚みが互いに異なり、光源波長が互いに同じである光ディスク対して互換可能に情報の記録動作等を行うことが可能な対物光学系として、光学面内に微少な段差からなる輪帯を形成し、この輪帯を通過する光束の集光位置が保護層の肉厚に依存することを利用して、保護層の肉厚に起因する球面収差を補正する対物光学系が開発されている（例えば、特許文献２参照）。
【特許文献１】特開２００１−１９５７６９号公報
【特許文献２】特開平１１−９６５８５号公報
【発明の開示】
【発明が解決しようとする課題】
【０００７】
しかしながら、ＢＤ及びＨＤに対して互換可能に情報の記録動作等を行う場合、両者の保護層厚みが互いに異なり、光源波長が互いに同一である。そのため、上述した特許文献１の対物光学系をそのまま適用すると、ＢＤ及びＨＤにおいては、光源波長が互いに同一であることに起因して、回折作用を利用して保護層厚みに起因する球面収差を補正することが困難であるといった問題が生じている。
【０００８】
一方、上述した特許文献２に記載の対物光学系をそのまま適用すると、対物光学系が高開口数化されたＢＤ及びＨＤにおいては、保護層厚みの違いに伴って発生する球面収差量が大きいことに起因して、実使用に耐えうる程度まで球面収差を補正することが困難であるといった問題が生じている。
【０００９】
また、ＢＤ及びＨＤに対して互換可能に情報の記録動作等を行う場合、ＢＤとＨＤとは開口数が互いに異なるため、光源波長に応じて対物光学系の開口数を制御する技術として公知である回折作用の波長依存性を利用する技術や、透過率の波長依存性を有する波長選択フィルターを利用した技術を用いても、光源波長が互いに同一であるＢＤ及びＨＤには適用することが困難であるといった問題も生じている。
【００１０】
本発明は前記した点に鑑みてなされたものであり、短波長の光束を用いて異なる高密度ディスクに対して情報の記録及び再生動作を適切に行うことが可能な光ピックアップ光学系、光ピックアップ装置、光ディスク記録再生装置及びリレーレンズ群を提供することを目的とする。
【課題を解決するための手段】
【００１１】
以上の課題を解決するために、請求項１に記載の発明は、
厚さｔ1[mm]の第１保護基板を有する第１光ディスクおよび厚さｔ2[mm]（ｔ1＜ｔ2）の第２保護基板を有する第２光ディスクに対して、光源から出射される光束を用いて情報の再生及び／又は記録を行う光ピックアップ装置に用いられる光ピックアップ光学系において、
光軸方向に沿って移動可能である少なくとも１つの可動レンズ群を含む複数のレンズ群を有するリレーレンズ群と、
前記リレーレンズ群を介して、前記光源から出射された前記光束を前記第１光ディスク又は前記第２光ディスクの情報記録面上に集光させる対物レンズとを有し、
前記リレーレンズ群は、前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満たすことを特徴とする。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【００１２】
ここで、リレーレンズ群が複数の可動レンズ群を有する場合、少なくとも一つの可動レンズ群が上記条件式を満たせばよい。また、この発明において、第１光ディスクに再生及び／又は記録を行う場合には、対物レンズの倍率が０、即ち平行光が対物レンズに入射す
ることが好ましい。また、光ピックアップ装置の光路中において、対物レンズの次(光源
側)に配置されるレンズ群がリレーレンズ群であることが好ましい。また、第２光ディス
クに再生及び／又は記録を行う場合には、対物レンズの倍率が-1/5以上-1/30以下となる
ように光束が対物レンズに入射することが好ましい。更に好ましくは、対物レンズの倍率が-1/10以上-1/30以下となることである。また、リレーレンズ群は少なくとも１つの固定レンズ群を有することが好ましい。
【００１３】
請求項２記載の発明は、請求項１に記載の光ピックアップ光学系において、
前記第１及び第２保護基板の厚さは、以下の式を満すことを特徴とする。
０．０６[mm]≦ｔ1≦０．１１[mm]    
０．５４[mm]≦ｔ2≦０．６２[mm]    
ここで、第１光ディスクとしてはＢＤ、第２光ディスクとしてはＨＤやＤＶＤを用いることが好ましい。
【００１４】
請求項３記載の発明は、請求項１または２に記載の光ピックアップ光学系において、
前記複数のレンズ群は、前記対物レンズに近い側から順番に、正の屈折力を有する第２レンズ群と負の屈折力を有する第１レンズ群とからなり、
前記第１レンズ群は、前記可動レンズ群であることを特徴とする。
【００１５】
請求項４記載の発明は、請求項３に記載の光ピックアップ光学系において、
前記第１レンズ群は、負の屈折力を有する単レンズのみからなり、
前記リレーレンズ群は、以下の式を満すことを特徴とする。
−３．５≦ｐ1／ｐ2≦−１．８    
ただし、ｐ1は前記第１レンズ群の屈折力、ｐ2は前記第２レンズ群の屈折力である。
【００１６】
請求項５記載の発明は、請求項３又は請求項４に記載の光ピックアップ光学系において、
前記第２レンズ群は単レンズからなり、前記単レンズは前記第１レンズ群側の第１光学面と前記対物レンズ側の第２光学面とを有し、前記第２光学面が凸面であることを特徴とする。
【００１７】
請求項６記載の発明は、請求項３から請求項５のいずれか一項に記載の光ピックアップ光学系において、
前記対物レンズの開口数ＮＡ1は、０．８以上であって、
前記リレーレンズ群は、吸水率が０．１％以下のプラスチックによって形成されたレンズを含むことを特徴とする。
【００１８】
請求項７記載の発明は、請求項６に記載の光ピックアップ光学系において、
前記第２レンズ群は、吸水率が０．１％以下であるプラスチックによって形成された単レンズからなることを特徴とする。
【００１９】
請求項８記載の発明は、請求項７に記載の光ピックアップ光学系において、
前記第２レンズ群は、光軸に対して垂直方向に移動可能であることを特徴とする。
【００２０】
請求項９記載の発明は、請求項１又は請求項２に記載の光ピックアップ光学系において、
前記複数のレンズ群は、前記対物レンズに近い側から順番に、正の屈折力を有する第３レンズ群と、負の屈折力を有する第２レンズ群と、正の屈折力を有する第１レンズ群とからなり、
前記第１レンズ群及び前記第２レンズ群が前記可動レンズ群であることを特徴とする。
【００２１】
ここで、第２レンズ群が請求項１記載の条件式を満たすことが好ましく、第１レンズ群は当該条件式を満たしても満たさなくてもよい。また、第２レンズ群の移動量が、第１レンズ群の移動量よりも大きいことが好ましい。
【００２２】
請求項１０記載の発明は、請求項９に記載の光ピックアップ光学系において、
前記第２レンズ群に関して、前記第１光ディスクの再生及び／又は記録を行う場合における前記第２レンズ群の位置から前記第２光ディスクの再生及び／又は記録を行う場合における前記第２レンズ群の位置までの移動量δ[mm]は、以下の条件式を満たすことを特徴とする。
８≦（ＮＡ1・δ）／（ｔ2−ｔ1）≦１５
【００２３】
なお、第１レンズ群は、この条件式を満たしてもよいし、満たさなくてもよい。また、第２レンズ群の移動量は、第１レンズ群の移動量よりも大きいことが好ましい。
【００２４】
請求項１１記載の発明は、請求項９又は請求項１０に記載の光ピックアップ光学系において、
前記リレーレンズ群が、以下の式を満すことを特徴とする。
０．７≦ｐ1／ｐ3≦１．６    
−５≦ｐ2／ｐ3≦−３．７    
ただし、ｐ1は前記第１レンズ群の屈折力、ｐ2は前記第２レンズ群の屈折力、ｐ3は前
記第３レンズ群の屈折力である。
【００２５】
請求項１２記載の発明は、請求項９から請求項１１のいずれか一項に記載の光ピックアップ光学系において、
前記第３レンズ群は単レンズからなり、前記単レンズは前記第２レンズ群側の第１光学面と前記対物レンズ側の第２光学面を有し、この第２光学面が凸面であることを特徴とする。
【００２６】
請求項１３記載の発明は、請求項９から請求項１２のいずれか一項に記載の光ピックアップ光学系において、
前記第２レンズ群は単レンズからなり、前記単レンズは前記第１レンズ群側の第１光学面と前記第３レンズ群側の第２光学面を有し、この第１光学面が凹面であることを特徴とする。
【００２７】
請求項１４記載の発明は、請求項９から請求項１３のいずれか一項に記載の光ピックアップ光学系において、
前記対物レンズの開口数ＮＡ1は、０．８以上であり、
前記リレーレンズ群は、吸水率が０．１％以下のプラスチックによって形成されたレンズを含むことを特徴とする。
【００２８】
請求項１５記載の発明は、請求項１４に記載の光ピックアップ光学系において、
前記第３レンズ群は、吸水率が０．１％以下であるプラスチックによって形成された単レンズからなることを特徴とする。
【００２９】
請求項１６記載の発明は、請求項１から請求項１５のいずれか一項に記載の光ピックアップ光学系において、
以下の式を満すことを特徴とする。
０．９５≦ＮＡ1・ＴＦ1／（ＮＡ2・ＴＦ2）≦１．０５    
ただし、ＴＦ1は前記第１光ディスクに記録又は再生動作を行う際の前記リレーレンズ
群と前記対物レンズとの合成焦点距離、ＴＦ2は前記第２光ディスクに記録又は再生動作
を行う際の前記リレーレンズ群と前記対物レンズとの合成焦点距離、ＮＡ2は前記第２光
ディスクに記録又は再生動作を行う際の前記対物レンズの開口数である。
【００３０】
請求項１７記載の発明は、請求項１から請求項１６のいずれか一項に記載の光ピックアップ光学系において、
前記対物レンズに発散光または収束光が入射する場合、前記複数のレンズ群のうち、前記対物レンズの近傍側に配設されたレンズ群が、光軸と直交する方向に移動する当該対物レンズと反対方向に移動可能であることを特徴とする。
【００３１】
請求項１８記載の発明は、請求項１７に記載の光ピックアップ光学系において、
前記第１光ディスクに記録又は再生動作を行う際には、前記対物レンズに平行光又は略平行光が入射し、前記第２光ディスクに記録又は再生動作を行う際には、前記対物レンズに発散光が入射し、前記対物レンズを光軸と直交する方向に移動させ、前記リレーレンズ群を構成するレンズ群のうち、前記対物レンズの近傍側に配設されたレンズ群を、前記対物レンズと反対方向に移動させることを特徴とする。
【００３２】
請求項１９記載の発明は、請求項１から請求項１８のいずれか一項に記載の光ピックアップ光学系において、
以下の式を満すことを特徴とする。
０．６≦ＴＯ／ＴＲ≦１．５    
ただし、ＴＯはトラッキング時における光軸と直交する方向への当該対物レンズの移動量の絶対値、ＴＲは前記トラッキング時における前記リレーレンズ群の少なくとも一つのレンズ群の光軸と直交する方向への移動量の絶対値である。
【００３３】
請求項２０記載の発明は、請求項１７または請求項１８に記載の光ピックアップ光学系において、
前記複数のレンズ群のうち、前記対物レンズに最も近接して配設されたレンズ群が、吸水率が０．１％以下であって、比重が１．５以下であるプラスチックによって形成されたレンズからなることを特徴とする。
【００３４】
請求項２１記載の発明は、請求項１から請求項２０のいずれか一項に記載の光ピックアップ光学系において、
前記対物レンズは、２つのレンズからなることを特徴とする。
【００３５】
請求項２２記載の発明は、請求項２１記載の光ピックアップ光学系において、
前記２つのレンズのうち、光ディスクの遠方側に配設されたレンズが位相構造を有することを特徴とする。
なお、ここでの「位相構造」とは、回折構造を含む位相差付与構造及び光路差付与構造を共に含むものとする。
【００３６】
請求項２３記載の発明は、請求項２１または請求項２２に記載の光ピックアップ光学系において、
以下の式を満すことを特徴とする。
０．０５≦ＰＯ1／ＰＯ2≦０．２    
ただし、ＰＯ1は前記２つのレンズのうち、前記リレーレンズ群の近傍側に配設された
レンズの屈折力、ＰＯ2は前記２つのレンズのうち、前記リレーレンズ群の遠方側に配設
されたレンズの屈折力である。
【００３７】
請求項２４記載の発明は、請求項１から請求項２３のいずれか一項に記載の光ピックア
ップ光学系において、
前記光ピックアップ光学系は、コリメーターレンズを有し、
前記コリメーターレンズは、前記光源から出射された前記光束の光路中であって、前記リレーレンズ群よりも対物レンズから離れた位置に配置されていることを特徴とする。つまり、図１に示すように、コリメーターレンズと対物レンズとの間にリレーレンズ群が設けられていることが好ましい。なお、ここでいう「コリメーターレンズ」とは、入射した光束を平行光束にして出射する固定レンズ又は固定レンズ群を指すものとする。
【００３８】
請求項２５記載の発明は、請求項１から請求項２４のいずれか一項に記載の光ピックアップ光学系において、
前記光ピックアップ装置は、前記第１光ディスクと前記第２光ディスクの再生及び／又は記録を同一の光束を用いて行うことを特徴とする。
例えば、第１光ディスクをBD、第２光ディスクをHD DVDとした組み合わせはこの発明に含まれる。
【００３９】
請求項２６記載の発明は、請求項１から請求項２４のいずれか一項に記載の光ピックアップ光学系において、
前記光ピックアップ装置は、前記第１光ディスクと前記第２光ディスクの再生及び／又は記録を、異なる波長の光束を用いて行うことを特徴とする。
例えば、第１光ディスクをBD、第２光ディスクをDVDとした組み合わせや、第１光ディ
スクをBD、第２光ディスクをCDとした組み合わせ、第１光ディスクをHD、第２光ディスクをCDとした組み合わせ等はこの発明に含まれる。
【００４０】
請求項２７記載の発明は、請求項１から請求項２６のいずれか一項に記載の光ピックアップ光学系において、
以下の式を満たすことを特徴とする。
r1×0.8 < r2 < r1×1.2
ただし、r1は前記第１光ディスクの再生及び／又は記録を行う場合の前記リレーレンズ群の入射瞳径、r2は前記第２光ディスクの再生及び／又は記録を行う場合の前記リレーレンズの入射瞳径である。
好ましくは、r1 × 0.9 < r2 < r1 × 1.1を満たすことである。更に好ましくは、r1 
× 0.95 < r2< r1 × 1.05であり、最も好ましくはr2 = r1である。
【００４１】
請求項２８記載の発明は、
厚さｔ1[mm]の第１保護層を有する第１光ディスクおよび厚さｔ2[mm]（ｔ1＜ｔ2）の第２保護層を有する第２光ディスクに対して、光束を用いて情報の再生及び／又は記録を行う光ピックアップ装置において、
前記光束を出射する光源と、光ピックアップ光学系とを有し、
前記光ピックアップ光学系は、
光軸方向に沿って移動可能である少なくとも１つの可動レンズ群を含む複数のレンズ群を有するリレーレンズ群と、
前記リレーレンズ群を介して、前記光源から出射された前記光束を前記第１光ディスクまたは前記第２光ディスクの情報記録面上に集光させる対物レンズとを有し、
前記リレーレンズ群は、前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満
たすことを特徴とする。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【００４２】
請求項２９記載の発明は、
厚さｔ1[mm]の第１保護層を有する第１光ディスクおよび厚さｔ2[mm]（ｔ1＜ｔ2）の第２保護層を有する第２光ディスクに対して、光束を用いて情報の再生及び／又は記録を行う光ピックアップ装置を有する光ディスク記録再生装置において、
前記光ピックアップ装置は、前記光束を出射する光源と、光ピックアップ光学系とを有し、
前記光ピックアップ光学系は、
光軸方向に沿って移動可能である少なくとも１つの可動レンズ群を含む複数のレンズ群を有するリレーレンズ群と、
前記リレーレンズ群を介して、前記光源から出射された前記光束を前記第１光ディスクまたは前記第２光ディスクの情報記録面上に集光させる対物レンズとを有し、
前記リレーレンズ群は、前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満たすことを特徴とする。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【００４３】
請求項３０記載の発明は、
厚さｔ1[mm]の第１保護層を有する第１光ディスクおよび厚さｔ2[mm]（ｔ1＜ｔ2）の第２保護層を有する第２光ディスクに対して、光源から出射される光束を用いて情報の再生及び／又は記録を行う光ピックアップ装置の光ピックアップ光学系に用いられるリレーレンズ群において、
前記光源と、当該光源から出射された前記光束を前記第１光ディスク又は前記第２光ディスクの情報記録面上に集光させる対物レンズとの間に配置され、
光軸方向に沿って移動可能である少なくとも１つの可動レンズ群を含む複数のレンズ群を有し、
前記第１光ディスクに再生及び／又は記録を行う場合には、前記対物レンズの倍率が-1/100より大きく、1/50より小さくなるように光束を出射し、前記第２光ディスクに再生及び／又は記録を行う場合には、前記対物レンズに対して発散光を出射し、
少なくとも一つの前記可動レンズ群に関して、前記第１光ディスクの再生及び／又は記録を行う場合における前記可動レンズ群の位置から前記第２光ディスクの再生及び／又は記録を行う場合における前記可動レンズ群の位置までの移動量δ[mm]が以下の条件式を満たすことを特徴とする。
７．５≦（ＮＡ1・δ）／（ｔ2−ｔ1）≦２２
ただし、ＮＡ1は前記第１光ディスクに再生及び／又は記録を行う場合の前記対物レン
ズの開口数である。
【００４４】
なお、本発明は以下のような態様とすることも可能である。
まず、本発明の第一の態様を以下に記載する。本態様にかかる光ピックアップ光学系は
、保護基板の厚さ寸法が異なる複数の光ディスクに記録及び／又は再生動作を行う光ピックアップ装置に具備された光ピックアップ光学系において、複数のレンズ群からなり、当該複数のレンズ群のうち少なくとも１つのレンズ群が光軸方向に沿って移動可能である可動レンズ群を備えたリレーレンズ群と、前記リレーレンズ群を介して、光源から出射された所定の波長を有する光を集光させる対物レンズとを具備し、前記リレーレンズ群が、第１の保護基板厚を有する光ディスクに記録又は再生動作を行う場合には、前記対物レンズに対して略平行又は若干収束する光束を出射し、前記第１の保護基板厚より厚さ寸法が大きい第２の保護基板厚を有する光ディスクに記録又は再生動作を行う場合には、前記第１の保護基板厚を有する光ディスクに記録又は再生動作を行う場合における当該可動レンズ群の位置からの移動量δが下記条件式（１）を満すように移動させ、前記対物レンズに対して発散光を出射することを特徴とする。
７．５≦（ＮＡ1・δ）／（ｔ2−ｔ1）≦２２    ………（１）
ただし、ＮＡ1は前記第１の保護基板厚の光ディスクに記録又は再生動作を行う際の前
記対物レンズの開口数、ｔ1は前記第１の保護基板厚、ｔ2は前記第２の保護基板厚である。
【００４５】
ここで、上記での「略平行又は若干収束」とは、対物レンズの倍率が-1/100より大きく1/50より大きくなることを意味する。また、可動レンズ群が複数ある場合は、少なくとも一つの可動レンズ群が条件式(１)を満たせばよい。また、第二光ディスクに再生及び／又は記録を行う場合には、対物レンズの倍率が-1/5以上-1/30以下となるように光束が対物
レンズに入射することが好ましい。更に好ましくは、対物レンズの倍率が-1/10以上-1/30以下となることである。なお、リレーレンズ群は、少なくともひとつの固定レンズ群を含むことが好ましい。
【００４６】
この第一の態様によれば、第１の保護基板厚を有する光ディスクに対して対物レンズと略平行又は若干収束する光束を出射した状態で球面収差が補正されている対物レンズを用いた際に、リレーレンズ群の少なくとも１つのレンズ群を移動させて、対物レンズに発散光が出射するように対物レンズの使用倍率を変更することで、第２の保護基板厚を有する光ディスクにおいて発生する球面収差を補正することができる。その際、上記条件式（１）の下限値を下回らないようにすることで、リレーレンズが偏芯した際に生ずる収差を低減させるとともに、良好なスポットを記録面上に発生させることが可能となり、これによって、良好な記録信号及び再生信号の少なくとも１つの信号を得ることができる。また、一般にアクチュエータの移動量と偏芯精度とは比例するため、上記条件式（１）の上限値を超えないようにすることで、可動レンズの移動量が過大となることを防止することが可能となり、これによって、アクチュエータに掛かる負荷が低減され、移動に伴う偏芯量の低減とともに、装置の小型化を図ることできる。
【００４７】
本発明の第二の態様に係る光ピックアップ光学系は、第一の態様の光ピックアップ光学系であって、前記第１及び第２の保護基板厚が、下記条件式（２）及び（３）をそれぞれ満すことを特徴とする。
０．０６≦ｔ1≦０．１１    ………（２）
０．５４≦ｔ2≦０．６２    ………（３）
ｔ1は前記第１の保護基板厚、ｔ2は前記第２の保護基板厚である。上記条件式（２）を満すことで、ＢＤ及び多層のＢＤに好適となる。また、上記条件式（３）を満すことで、ＨＤ及び多層のＨＤに好適となる。
【００４８】
第三の態様に係る光ピックアップ光学系は、第１又は第２の態様の光ピックアップ光学系であって、前記リレーレンズ群が、前記対物レンズの遠方から、負の屈折力を有する第１のレンズ群、正の屈折力を有する第２のレンズ群と順次配設され、異なる保護基板厚を有する光ディスクに記録又は再生動作を行う際に、前記第一レンズ群が前記可動レンズ群
であって、当該第１レンズ群の移動量δが下記条件式（４）を満すことを特徴とする。
７．５≦（ＮＡ1・δ）／（ｔ2−ｔ1）≦２２    ………（４）
ただし、ＮＡ1は前記第１の保護基板厚の光ディスクに記録又は再生動作を行う際の前
記対物レンズの開口数、ｔ1は前記第１の保護基板厚、ｔ2は前記第２の保護基板厚である。
【００４９】
第三の態様によれば、簡易な構成により、保護基板厚の異なる光ディスクに対する記録動作等が良好に行われ、上記条件式（４）の下限値を下回らないようにすることで、リレーレンズが偏芯した際に生ずる収差を低減させるとともに、記録面上に良好なスポットを発生させることが可能となり、これによって、良好な記録信号等を得ることができる。また、上記条件式（４）の上限値を超えないようにすることで、可動レンズの移動量が過大となることを防止することが可能となり、これによって、アクチュエータに掛かる負荷が低減され、移動に伴う偏芯量の低減とともに、装置の小型化を図ることができる。
【００５０】
さらに、上記条件式（４）を満すリレーレンズの対物レンズと反対側の最も遠い面に絞りを配置することで、開口制限部材を設けることなく対物レンズの必要開口数を得るような光束を対物レンズに出射することができる。
【００５１】
第四の態様に係る光ピックアップ光学系は、第３の態様の光ピックアップ光学系であって、前記第１のレンズ群が、負の屈折力を有する単レンズのみで構成され、前記リレーレンズ群が下記条件式（５）を満すことを特徴とする。
−３．５≦ｐ1／ｐ2≦−１．８    ………（５）
ただし、ｐ1は前記第１のレンズ群の屈折力、ｐ2は前記第２のレンズ群の屈折力である。
【００５２】
第四の態様によれば、負の屈折率を有する単レンズからなる可動レンズ群を軽量化し、移動のためのアクチュエータに掛かる負荷を低減することで、アクチュエータの小型化が可能となり、これによって、光ピックアップ光学系及び光ディスク用ドライブ装置の小型化を図ることができる。また、上記条件式（５）を満すことで、偏芯感度の低減とともに、レンズ群の移動量が過大となることを防止することができる。  
【００５３】
さらに、上記条件式（４）及び（５）を満すことで、第１及び第２の保護基板厚を有する光ディスクに記録動作等を行う際に必要な対物レンズの必要開口数ＮＡ1、ＮＡ2を得るためのリレーレンズと対物レンズとを合成した入射瞳径(例えば、図１の例ではL1に対す
る入射瞳径)を略同一とできるため、半導体レーザを出射しコリメータでコリメートされ
た光束を無駄なく記録面上へ導くことが可能となり、これによって、光利用効率の高い光ピックアップ光学系が得ることができる。なお、ここでいう「略同一」とは、NA１の際の入射瞳径をｒ１、NA2の差異の入射瞳径をｒ2としたとき、ｒ2がr１の８０％よりも大きく、１２０％よりも小さいことを言う。より好ましくは、ｒ2がｒ１の９０％よりも大きく
、１１０％よりも小さいことである。更に好ましくは、ｒ2２がｒ1の９５％よりも大きく、１０５％よりも小さいことである。最も好ましくは、図１６に示すようにｒ2がｒ１と等しいことである。
【００５４】
第５の態様に係る光ピックアップ光学系は、第３又は第４の態様の光ピックアップ光学系であって、前記第２のレンズ群が、対物レンズと対向する側の一面が凸状に形成された単レンズからなることを特徴とする。第５の態様によれば、リレーレンズ群における第１レンズ群から第２レンズ群までの距離を短縮するとともに、各レンズ群の屈折力を小さくすることで、リレーレンズ群において発生する収差を減少させて、偏芯による収差劣化の抑制を図ることができる。
【００５５】
第６の態様に係る光ピックアップ光学系は、第３乃至第５の態様の光ピックアップ光学系であって、前記対物レンズの開口数ＮＡ1が、０．８以上であって、前記リレーレンズ
群は、吸水率が０．１％以下のプラスチックによって形成されたレンズを含むことを特徴とする。第６の態様によれば、リレーレンズ群の軽量化を図ることで、アクチュエータの小型化を図ることができる。また、プラスチックの環境湿度変化に伴う吸水率の変動に起因した収差の抑制を図るとともに、ＮＡが０．８以上の高い開口数を用いる高密度光ディスクにおいても良好な記録動作等を行うことができる。
【００５６】
第７の態様に係る光ピックアップ光学系は、第６の態様の光ピックアップ光学系であって、前記第２レンズ群が、吸水率が０．１％以下であるプラスチックによって形成された単レンズからなることを特徴とする。第７の態様によれば、リレーレンズ群において、最も物体側に配設された第２レンズ群を、プラスチックによって形成された単レンズとすることで、装置の軽量化及び製造コストの低減を図ることができる。また、リレーレンズ群において、最も対物レンズ側に配設されたレンズは、マージナル光線高さが高いため、すなわち、光束径が大きいため、環境湿度変化に起因したプラスチックの吸湿による屈折率変化や、屈折率分布の影響を受け易くなるが、吸水率が０．１％以下のプラスチックによって形成されたレンズで構成されることにより、これらの影響を十分に軽減することできる。
【００５７】
第８の態様に係る光ピックアップ光学系は、第７の態様の光ピックアップ光学系であって、前記第２レンズ群が、光軸に対して垂直方向に移動可能であることを特徴とする。第８の態様によれば、第２のレンズ群を光軸と垂直方向に移動することができるように構成することで、対物レンズのトラッキング時に発生するコマ収差の低減を図ることができる。
【００５８】
第９の態様に係る光ピックアップ光学系は、第１又は第２の態様の光ピックアップ光学系であって、前記リレーレンズ群が、前記対物レンズの遠方から、正の屈折力を有する第１のレンズ群、負の屈折力を有する第２のレンズ群、正の屈折力を有する第３のレンズ群と順次配設され、異なる保護基板厚を有する光ディスクに記録又は再生動作を行う際に、当該第１及び第２のレンズ群が前記可動レンズ群であるとともに、当該第２のレンズ群の移動量δが下記条件式（６）を満すことを特徴とする。
８≦（ＮＡ1・δ）／（ｔ2−ｔ1）≦１５    ………（６）
ＮＡ1は前記第１の保護基板厚の光ディスクに記録又は再生動作を行う際の前記対物レ
ンズの開口数、ｔ1は前記第１の保護基板厚、ｔ2は前記第２の保護基板厚である。なお、前記第二のレンズ群が条件式(６)を満たしてさえいれば、前記第一のレンズ群は、条件式(１)又は(６)を満たしてもよいし、満たさなくてもよい。
【００５９】
第９の態様によれば、２群構成のリレーレンズ群と比較してより一層小さい移動量で、第１の保護基板厚を有する光ディスク使用時及び第２の保護基板厚を有する光ディスク使用時でのリレーレンズと対物レンズとの合成系における入射瞳径を略同一とすることができる。また、上記条件式（６）の下限値を下回らないようにすることで、リレーレンズ群の偏芯時の収差変動が過大となることを防止することができる。また、上限値を超えないようにすることで、移動可能なレンズ群の移動量を低減させ、アクチュエータに掛かる負担の低減を図ることができる。
【００６０】
第１０の態様に係る光ピックアップ光学系は、第９の態様の光ピックアップ光学系であって、前記リレーレンズ群が、下記条件式（７）及び（８）を満すことを特徴とする。
０．７≦ｐ1／ｐ3≦１．６    ………（７）
−５≦ｐ2／ｐ3≦−３．７    ………（８）
ｐ1は前記第１のレンズ群の屈折力、ｐ2は前記第２のレンズ群の屈折力、ｐ3は前記第
３のレンズ群の屈折力である。
【００６１】
第１０の態様によれば、簡易な構成により、第９の態様の構成を実現することができる。また、上記条件式（７）の下限値を下回らないようにすることで、リレーレンズ群の移動量が過大となることを防止するとともに、前述した合成系における入射瞳径を一定に維持することができる。一方、上記条件式（７）の上限値を超えないようにすることで、諸収差を良好に補正するとともに、第１のレンズ群の偏芯時における収差の発生を抑制することができる。さらに、上記条件式（８）の下限値を下回らないようにすることで、諸収差を良好に補正するとともに、第１のレンズ群の偏芯時における収差の発生を抑制することができる。さらに、上記条件式（８）の上限値を超えないようにすることで、リレーレンズ群の移動量が過大となることを防止するとともに、アクチュエータに掛かる負荷の低減を図ることができる。
【００６２】
第１１の態様に係る光ピックアップ光学系は、第９又は第１０の態様の光ピックアップ光学系であって、前記第３のレンズ群が、前記対物レンズと対向する側の一面が凸状に形成された単レンズからなることを特徴とする。第１１の態様によれば、少ないレンズ枚数であっても諸収差を良好に補正するとともに、リレーレンズ群の全長の短縮を図ることができる。
【００６３】
第１２の態様に係る光ピックアップ光学系は、第９乃至第１１の態様の光ピックアップ光学系であって、前記第２のレンズ群が、対物レンズと対向する側と反対側の一面が凹状に形成された単レンズからなることを特徴とする。第１２の態様によれば、偏芯時における収差の発生を抑制するとともに、レンズの移動量の低減を図ることができる。
【００６４】
第１３の態様に係る光ピックアップ光学系は、第９乃至第１２の態様の光ピックアップ光学系であって、前記対物レンズの開口数ＮＡ1が、０．８以上であって、前記リレーレ
ンズ群が、吸水率が０．１％以下のプラスチックによって形成されたレンズを含むことを特徴とする。第１３の態様によれば、リレーレンズ群が軽量となることで、アクチュエータの小型化を図ることができる。また、プラスチックの環境湿度変化に伴い吸水率が変動して生ずる収差が減少され、ＮＡが０．８以上である高い開口数を用いる高密度光ディスクに対しても良好な記録動作等を行うことができる。
【００６５】
第１４の態様に係る光ピックアップ光学系は、第１３の態様の光ピックアップ光学系であって、前記第３のレンズ群が、吸水率が０．１％以下であるプラスチックによって形成された単レンズからなることを特徴とする。第１４の態様によれば、リレーレンズ群における最も物体側に配設された第３レンズ群を、プラスチックからなる単レンズとすることにより、装置の軽量化及び製造コストの低減を図ることができる。また、リレーレンズ群における最も対物レンズ側に配設されたレンズはマージナル光線高さが高いため、すなわち、光束径が大きいため、環境変化に起因したプラスチックの吸湿による屈折率変化や、屈折率分布の影響を受け易くなるが、吸水率が０．１％以下のプラスチックによって形成されたレンズで構成することにより、これらの影響を十分に軽減することができる。
【００６６】
第１５の態様に係る光ピックアップ光学系は、第一又は第二の態様の光ピックアップ光学系であって、前記第１の保護基板厚を有する光ディスクに記録又は再生動作を行う際の前記リレーレンズ群と前記対物レンズの合成焦点距離及び前記対物レンズの開口数、前記第２の保護基板厚を有する光ディスクに記録又は再生動作を行う際の前記リレーレンズ群と前記対物レンズとの合成焦点距離及び前記対物レンズの開口数は、下記条件式（９）を満すことを特徴とする。
０．９５≦ＮＡ1・ＴＦ1／（ＮＡ2・ＴＦ2）≦１．０５    ………（９）
ＴＦ1は前記第１の保護基板厚を有する光ディスクに記録又は再生動作を行う際の前記
リレーレンズ群と前記対物レンズの合成焦点距離、ＮＡ1は前記第１の保護基板厚を有す
るに記録又は再生動作を行う際の前記対物レンズの開口数、ＴＦ2は前記第２の保護基板
厚を有する光ディスクに記録又は再生動作を行う際の前記リレーレンズ群と前記対物レンズとの合成焦点距離、ＮＡ2は前記第２の保護基板厚を有する光ディスクに記録又は再生
動作を行う際の前記対物レンズの開口数である。第１５の態様に記載の発明によれば、上記条件式（９）を満すように設計することで、リレーレンズ群と対物レンズの合成系とにおける入射瞳径を略同一とすることができ、これによって、光利用効率の高い光ピックアップ光学系を得ることができる。
【００６７】
第１６の態様に係る光ピックアップ光学系は、第１又は第２の態様の光ピックアップ光学系であって、前記リレーレンズ群が、前記対物レンズの倍率が有限である場合、当該リレーレンズ群を構成するレンズ群のうち、当該対物レンズの近傍側に配設されたレンズ群が、光軸と直交する方向に移動する当該対物レンズと反対方向に移動可能であることを特徴とする。第１６の態様によれば、対物レンズをトラッキングした際にコマ収差が発生した場合であっても、コマ収差を良好に補正することができる。
【００６８】
第１７の態様に係る光ピックアップ光学系は、第１６の態様の光ピックアップ光学系であって、前記対物レンズが、前記第１の保護基板厚を有する光ディスクに記録又は再生動作を行う際には、当該対物レンズの有する倍率を略ゼロとし、前記第２の保護基板厚を有する光ディスクに記録又は再生動作を行う際には、当該対物レンズの有する倍率を負の有限値とするとともに、当該対物レンズを光軸と直交する方向に移動させ、前記リレーレンズ群を構成するレンズ群のうち、当該対物レンズの近傍側に配設されたレンズ群を、当該対物レンズと反対方向に移動させることを特徴とする。第１７の態様によれば、最も誤差の影響を受け易い第１の保護基板厚を有する光ディスク使用時には、対物レンズのトラッキングにより、収差の発生の防止を図り、第２の保護基板厚を有する光ディスク使用時には、対物レンズのトラッキング移動方向とは反対方向にリレーレンズ群を移動させることで、対物レンズのトラッキングによって発生するコマ収差を良好に補正することができる。
【００６９】
第１８の態様に係る光ピックアップ光学系は、第一又は第二の態様の光ピックアップ光学系であって、前記対物レンズのトラッキング時における光軸と直交する方向への移動量の絶対値及び前記リレーレンズ群の光軸と直交する方向への移動量の絶対値が、下記条件式（１０）を満すことを特徴とする。
０．６≦ＴＯ／ＴＲ≦１．５    ………（１０）
ＴＯは前記対物レンズのトラッキング時における光軸と直交する方向への移動量の絶対値、ＴＲは前記リレーレンズ群の光軸と直交する方向への移動量の絶対値である。第１８の態様によれば、トラッキングによって発生するコマ収差を良好に補正できる。また、上記条件式（１０）の下限値を下回らないようにすることで、コマ収差に対する補正が過剰となることを防止し、残存収差の低減を図ることができる。また、上記条件式（１０）の上限値を超えないようにすることで、コマ収差に対する補正が不足することを防止することができる。
【００７０】
第１９の態様に係る光ピックアップ光学系は、第１６乃至第１８の態様の光ピックアップ光学系であって、前記リレーレンズ群が、当該リレーレンズ群における前記対物レンズに最も近接して配設されたレンズ群が、吸水率が０．１％以下であって、比重が１．５以下であるプラスチックによって形成されたレンズからなることを特徴とする。第１９の態様によれば、リレーレンズ群の軽量化及び製造コストの低減を図ることが可能となり、これによって、トラッキングによって発生するコマ収差を補正するためのリレーレンズ群を移動させるアクチュエータに掛かる負荷の軽減を図り、対物レンズに追従して高速駆動させることができる。また、リレーレンズの最も対物レンズ側に配設されたレンズは、マー
ジナル光線高さが高いため、すなわち、光束径が大きいため、環境変化に起因したプラスチックの吸湿による屈折率変化や、屈折率分布の影響を受け易くなるが、吸水率が０．１％以下のプラスチックで構成することにより、これらの影響を十分に軽減することができる。
【００７１】
第２０の態様に係る光ピックアップ光学系は、第一又は第二の態様の光ピックアップ光学系であって、前記対物レンズが、２つのレンズからなることを特徴とする。第２０の態様によれば、対物レンズを２群構成とすることで、レンズ面を増加させて、設計自由度の増大させるとともに、各レンズ面における光線の屈曲量を分散することで、各レンズ面における収差の発生量の低減を図ることができる。また、対物レンズの使用倍率の変更によって球面収差が変動するため、使用倍率を変更することで、異なる保護基板厚を有する光ディスクにおける球面収差の補正は可能であるが、対物レンズの開口数が大きいほど、使用倍率の変更による補正が不可能な５次以上の球面収差が発生する。そこで、対物レンズを２群構成とすることで、上述したように各面における収差の発生の抑制を図ることが可能となり、これによって、記録面上に良好なスポットを発生させることができる。
【００７２】
第２１の態様に係る光ピックアップ光学系は、第２０の態様の光ピックアップ光学系であって、前記対物レンズが、当該対物レンズを構成する前記２つのレンズのうち、光ディスクの遠方側に配設されたレンズが位相構造を有することを特徴とする。第２１の態様によれば、異なる波長を用いる光ディスクに記録動作等を行う際に、波長に応じて位相構造の働きに差をつけることが可能となり、これによって、さらに多くの種類の光ディスクに対しても、収差を良好に補正することができる。なお、ここでの「位相構造」とは、回折構造を含む位相差付与構造、及び光路差付与構造を共に含むものとする。
【００７３】
第２２の態様に係る光ピックアップ光学系は、第２０又は第２１の態様の光ピックアップ光学系であって、前記対物レンズが、当該対物レンズを構成する前記２つのレンズのうち、前記リレーレンズ群の近傍側に配設されたレンズの屈折力及び前記リレーレンズ群の遠方側に配設されたレンズの屈折力が下記条件式（１１）を満すことを特徴とする。
０．０５≦ＰＯ1／ＰＯ2≦０．２    ………（１１）
ＰＯ1は前記リレーレンズ群の近傍側に配設されたレンズの屈折力、ＰＯ2は前記リレーレンズ群の遠方側に配設されたレンズの屈折力である。第２２の態様によれば、前述した高次の球面収差の発生を抑制することができる。また、上記条件式（１１）の下限値を下回らないようにすることで、高次の球面収差の発生を抑制するとともに、上記条件式（１１）の上限を超えないようにすることで、対物レンズのワーキングディスタンス、すなわち、対物レンズの最もディスク側の面とディスク表面までの距離を増大することができる。
【００７４】
第２３の態様は、光ディスク用ドライブ装置であって、第１の態様から第２２の態様のいずれかの光ピックアップ光学系と、所定の波長を有する光を射出する光源と、受光素子とを有することを特徴とする。
【００７５】
第２４の態様は、リレーレンズであって、第１の態様から第２２の態様のいずれかの光ピックアップ光学系に用いられることを特徴とする。
【００７６】
なお、本明細書において、「対物レンズ」とは、光ピックアップ装置において光ディスクに対向する位置に配置され、光源から射出された光束を光ディスクの情報記録面上に集光する機能を有する光学系であって、好ましくはアクチュエータにより少なくとも光軸方向に変移可能とされた光学系を指す。本明細書における、「対物レンズ」とは、単レンズであっても良いし、複数のレンズからから構成されていても良い。本明細書におけるリレーレンズ群に、対物レンズは含まれないものとする。
【００７７】
また、本明細書中において、対物レンズの光情報記録媒体側（像側）の開口数ＮＡとは、対物レンズが複数のレンズを有する場合、対物レンズの最も光情報記録媒体側に位置する光学面の開口数ＮＡを指す。また、本明細書中における開口数（ＮＡ）又は必要開口数とは、それぞれの光情報記録媒体の規格で規定されている開口数、または、それぞれの光情報記録媒体に対して、使用する光源の波長に応じ、情報の記録又は再生動作を行うために必要なスポット径を得ることが可能な回折限界性能の対物光学系の開口数を指す。
【００７８】
本明細書中におけるレンズ群とは、固定レンズ群の場合は、１枚の単レンズか、互いに接している複数のレンズをいい、可動レンズ群の場合は、光軸方向に可動する単レンズか、光軸方向に同一の動きをする複数のレンズを指す。
【００７９】
なお、本明細書における光ディスクは、高密度光情報記録媒体（高密度光ディスク）、DVD、CDなどが挙げられるが、それに限られるものではない。記録密度は、高密度光ディ
スクが最も高く、次いでＤＶＤ、ＣＤと順次低くなる。
【００８０】
高密度光情報記録媒体（高密度光ディスク）としては、情報の記録動作又は再生動作を行うための光源に、青紫色半導体レーザや、青紫色ＳＨＧレーザを使用する光ディスク（光情報記録媒体ともいう）が挙げられ、例えば、ＮＡが０．８５の対物光学系により情報の記録動作等を行い、保護層の厚さが０．１ｍｍ程度である規格の光ディスク（例えば、ＢＤ）や、ＮＡが０．６５から０．６７の範囲内である対物光学系により、情報の記録動作等を行い、保護層の厚さが０．６ｍｍ程度である規格の光ディスク（例えば、ＨＤ）も含むものとする。ブルーレイディスク（ＢＤ）やＨＤ  ＤＶＤ（ＨＤ）は勿論のこと、光磁気ディスクや、情報記録面上に数〜数十ｎｍ程度の厚さの保護膜を有する光ディスクや、保護層或いは保護膜の厚さがゼロの光ディスクも高密度光ディスクに含むものとする。
【００８１】
また、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列の光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列の光ディスクの総称である。
【発明の効果】
【００８２】
請求項１，２８〜３０に記載の発明によれば、第１保護基板を有する第１光ディスクに対して対物レンズと略平行又は若干収束する光束を出射した状態で球面収差が補正されている対物レンズを用いた際に、リレーレンズ群の少なくとも１つのレンズ群を移動させて、対物レンズに発散光が出射するように対物レンズの使用倍率を変更することで、第２保護基板を有する第２光ディスクにおいて発生する球面収差を補正することができる。
その際、上記条件式（１）の下限値を下回らないようにすることで、リレーレンズが偏芯した際に生ずる収差を低減させるとともに、良好なスポットを記録面上に発生させることが可能となり、これによって、良好な記録信号及び再生信号の少なくとも１つの信号を得ることができる。また、一般にアクチュエータの移動量と偏芯精度とは比例するため、上記条件式（１）の上限値を超えないようにすることで、可動レンズの移動量が過大となることを防止することが可能となり、これによって、アクチュエータに掛かる負荷が低減され、移動に伴う偏芯量の低減とともに、装置の小型化を図ることできる。
【００８３】
請求項２に記載の発明によれば、上記条件式（２）を満すことで、ＢＤ及び多層に対して記録可能なＢＤに好適となる。また、上記条件式（３）を満すことで、ＨＤ及び多層に対して記録可能なＨＤに好適となる。
【００８４】
請求項３に記載の発明によれば、簡易な構成により、保護基板厚の異なる光ディスクに
対する記録動作等が良好に行われる。
また、上記条件式（１）を満すことで、第１及び第２の保護基板厚を有する光ディスクに記録動作等を行う際に必要な対物レンズの必要開口数ＮＡ1、ＮＡ2を得るためのリレーレンズと対物レンズとを合成した入射瞳径が略同一となるため、半導体レーザを出射しコリメータでコリメートされた光束を無駄なく記録面上へ導くことが可能となり、これによって、光利用効率の高い光ピックアップ光学系が得ることができる。入射瞳径が異なる場合は、どちらかの光ディスクに記録動作等を行う際に、対物レンズの開口を制限する液晶シャッター等の開口制限部材で光束が遮られ、光量を損失する。
さらに、上記条件式（１）を満すリレーレンズの対物レンズと反対側の最も遠い面に絞りを配置することで、前述した開口制限部材を設けることなく対物レンズの必要開口数を得るような光束を対物レンズに出射することができる。
【００８５】
請求項４に記載の発明によれば、負の屈折率を有する単レンズからなる可動レンズ群を軽量化し、移動のためのアクチュエータに掛かる負荷を低減することで、アクチュエータの小型化が可能となり、これによって、光ピックアップ光学系及び光ディスク記録再生装置の小型化を図ることができる。
また、上記条件式（５）を満すことで、偏芯感度の低減とともに、レンズ群の移動量が過大となることを防止することができる。
【００８６】
請求項５に記載の発明によれば、リレーレンズ群における第１レンズ群から第２レンズ群までの距離を短縮するとともに、各レンズ群の屈折力を小さくすることで、リレーレンズ群において発生する収差を減少させて、偏芯による収差劣化の抑制を図ることができる。
【００８７】
請求項６に記載の発明によれば、リレーレンズ群の軽量化を図ることで、アクチュエータの小型化を図ることができる。また、プラスチックの環境湿度変化に伴う吸水率の変動に起因した収差の抑制を図るとともに、ＮＡが０．８以上の高い開口数を用いる高密度光ディスクにおいても良好な記録動作等を行うことができる。
【００８８】
請求項７に記載の発明によれば、リレーレンズ群において、最も物体側に配設された第２レンズ群を、プラスチックによって形成された単レンズとすることで、装置の軽量化及び製造コストの低減を図ることができる。また、リレーレンズ群において、最も対物レンズ側に配設されたレンズは、マージナル光線高さが高いため、すなわち、光束径が大きいため、環境湿度変化に起因したプラスチックの吸湿による屈折率変化や、屈折率分布の影響を受け易くなるが、吸水率が０．１％以下のプラスチックによって形成されたレンズで構成されることにより、これらの影響を十分に軽減することできる。
【００８９】
請求項８に記載の発明によれば、第２のレンズ群を光軸と垂直方向に移動することができるように構成することで、対物レンズのトラッキング時に発生するコマ収差の低減を図ることができる。
【００９０】
請求項９に記載の発明によれば、２群構成のリレーレンズ群と比較して小さい移動量で、第１保護基板を有する第１光ディスク使用時及び第２保護基板を有する第２光ディスク使用時でのリレーレンズと対物レンズとの合成系における入射瞳径を略同一とすることができる。
【００９１】
請求項１０記載の発明によれば、上記条件式（６）の下限値を下回らないようにすることで、リレーレンズ群の偏芯時の収差変動が過大となることを防止することができる。また、上限値を超えないようにすることで、移動可能なレンズ群の移動量を低減させ、アクチュエータに掛かる負担の低減を図ることができる。
【００９２】
請求項１１に記載の発明によれば、簡易な構成により、請求項９または１０に記載の構成を実現することができる。また、上記条件式（７）の下限値を下回らないようにすることで、リレーレンズ群の移動量が過大となることを防止するとともに、前述した合成系における入射瞳径を一定に維持することができる。一方、上記条件式（７）の上限値を超えないようにすることで、諸収差を良好に補正するとともに、第１のレンズ群の偏芯時における収差の発生を抑制することができる。
さらに、上記条件式（８）の下限値を下回らないようにすることで、諸収差を良好に補正するとともに、第１のレンズ群の偏芯時における収差の発生を抑制することができる。さらに、上記条件式（８）の上限値を超えないようにすることで、リレーレンズ群の移動量が過大となることを防止するとともに、アクチュエータに掛かる負荷の低減を図ることができる。
【００９３】
請求項１２に記載の発明によれば、少ないレンズ枚数であっても諸収差を良好に補正するとともに、リレーレンズ群の全長の短縮を図ることができる。
【００９４】
請求項１３に記載の発明によれば、偏芯時における収差の発生を抑制するとともに、レンズの移動量の低減を図ることができる。
【００９５】
請求項１４に記載の発明によれば、リレーレンズ群が軽量となることで、アクチュエータの小型化を図ることができる。また、プラスチックの環境湿度変化に伴い吸水率が変動して生ずる収差が減少され、ＮＡが０．８以上である高い開口数を用いる高密度光ディスクに対しても良好な記録動作等を行うことができる。
【００９６】
請求項１５に記載の発明によれば、リレーレンズ群における最も物体側に配設された第３レンズ群を、プラスチックからなる単レンズとすることにより、装置の軽量化及び製造コストの低減を図ることができる。また、リレーレンズ群における最も対物レンズ側に配設されたレンズはマージナル光線高さが高いため、すなわち、光束径が大きいため、環境変化に起因したプラスチックの吸湿による屈折率変化や、屈折率分布の影響を受け易くなるが、吸水率が０．１％以下のプラスチックによって形成されたレンズで構成することにより、これらの影響を十分に軽減することができる。
【００９７】
請求項１６に記載の発明によれば、上記条件式（９）を満すように設計することで、リレーレンズ群と対物レンズの合成系とにおける入射瞳径を略同一とすることができ、これによって、光利用効率の高い光ピックアップ光学系を得ることができる。
【００９８】
請求項１７に記載の発明によれば、対物レンズをトラッキングした際にコマ収差が発生した場合であっても、コマ収差を良好に補正することができる。
【００９９】
請求項１８に記載の発明によれば、最も誤差の影響を受け易い第１保護基板を有する第１光ディスク使用時には、対物レンズのトラッキングにより、収差の発生の防止を図り、第２保護基板を有する第２光ディスク使用時には、対物レンズのトラッキング移動方向とは反対方向にリレーレンズ群を移動させることで、対物レンズのトラッキングによって発生するコマ収差を良好に補正することができる。
【０１００】
請求項１９に記載の発明によれば、トラッキングによって発生するコマ収差を良好に補正できる。また、上記条件式（１０）の下限値を下回らないようにすることで、コマ収差に対する補正が過剰となることを防止し、残存収差の低減を図ることができる。また、上記条件式（１０）の上限値を超えないようにすることで、コマ収差に対する補正が不足することを防止することができる。
【０１０１】
請求項２０に記載の発明によれば、リレーレンズ群の軽量化及び製造コストの低減を図ることが可能となり、これによって、トラッキングによって発生するコマ収差を補正するためのリレーレンズ群を移動させるアクチュエータに掛かる負荷の軽減を図り、対物レンズに追従して高速駆動させることができる。また、リレーレンズの最も対物レンズ側に配設されたレンズは、マージナル光線高さが高いため、すなわち、光束径が大きいため、環境変化に起因したプラスチックの吸湿による屈折率変化や、屈折率分布の影響を受け易くなるが、吸水率が０．１％以下のプラスチックで構成することにより、これらの影響を十分に軽減することができる。
【０１０２】
請求項２１に記載の発明によれば、対物レンズを２群構成とすることで、レンズ面を増加させて、設計自由度の増大させるとともに、各レンズ面における光線の屈曲量を分散することで、各レンズ面における収差の発生量の低減を図ることができる。
また、対物レンズの使用倍率の変更によって球面収差が変動するため、使用倍率を変更することで、異なる保護基板厚を有する光ディスクにおける球面収差の補正は可能であるが、対物レンズの開口数が大きいほど、使用倍率の変更による補正が不可能な５次以上の球面収差が発生する。そこで、対物レンズを２群構成とすることで、上述したように各面における収差の発生の抑制を図ることが可能となり、これによって、記録面上に良好なスポットを発生させることができる。
【０１０３】
請求項２２に記載の発明によれば、異なる波長を用いる光ディスクに記録動作等を行う際に、波長に応じて位相構造の働きに差をつけることが可能となり、これによって、さらに多くの種類の光ディスクに対しても、収差を良好に補正することができる
【０１０４】
請求項２３に記載の発明によれば、前述した高次の球面収差の発生を抑制することができる。また、上記条件式（１１）の下限値を下回らないようにすることで、高次の球面収差の発生を抑制するとともに、上記条件式（１１）の上限を超えないようにすることで、対物レンズのワーキングディスタンス、すなわち、対物レンズの最もディスク側の面とディスク表面までの距離を増大することができる。
【０１０５】
請求項２４に記載の発明によれば、平行光または略平行光をリレーレンズ群に入射させることが可能となるので、リレーレンズ群による倍率変化を容易かつ安定的に行うことが可能となる。
【０１０６】
請求項２５に記載の発明によれば、異なる保護基板の厚さを有する光ディスクの記録再生を同一の光束によって行う場合、回折光学素子等の光学素子によっては補正できない球面収差を、補正可能とすることができる。
【０１０７】
請求項２７に記載の発明によれば、異なる光ディスクの記録再生において、光束の入射瞳径がほぼ同じとなるので、光量のロスを減らし、光束の利用効率を高めることが可能となる。
【発明を実施するための最良の形態】
【０１０８】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
まず、図１を参照しながら、本実施形態における光ピックアップ光学系及び光ピックアップ装置について説明する。
【０１０９】
図１及び図１６に示すように、本実施形態における光ピックアップ装置ＰＵ１には、Ｂ
Ｄ及びＨＤに対して情報の記録動作等を行う際に、４０５ｎｍの波長の青紫色レーザ光束を出射する光源である青紫色半導体レーザＬＤが具備されている。つまり、本実施形態では、異なるディスクに対して同一の光源を用いる。但し、異なるディスクに対し、異なる波長の複数の光源を用いることとしても良い。
【０１１０】
青紫色半導体レーザＬＤから出射される青紫色光の光軸方向には、略正方形状のスプリッタＰＳが設けられている。このスプリッタＰＳによって分光された光の光軸方向には、コリメータＣＬ、第１レンズ群Ｌ１及び第２レンズ群Ｌ２から構成されたリレーレンズ群ＲＥＬ、液晶シャッターＬＱＳ、１／４波長板ＱＷＰ、対物レンズＯＬが順次配設されており、対物レンズＯＬを挟んで１／４波長板ＱＷＰと対向する位置には、光情報記録媒体であるＢＤ又はＨＤが配置されるようになっている。
【０１１１】
ここで、対物レンズＯＬは、単レンズのみからなることとしても良いし、２つ以上のレンズからなることとしても良い。対物レンズＯＬが２つ以上のレンズからなる場合には、ＢＤ，ＨＤから最も遠いレンズは位相構造を有することが好ましい。また、対物レンズＯＬが２つのレンズからなる場合には、リレーレンズ群ＲＥＬの近傍側に配設されたレンズの屈折力ＰＯ1と、遠方側に配設されたレンズの屈折力ＰＯ2とは、下記条件式（１１）を満たすことが好ましい。
０．０５≦ＰＯ1／ＰＯ2≦０．２    ………（１１）
【０１１２】
また、第２レンズ群Ｌ２は、単レンズからなる。この単レンズは第１レンズ群Ｌ１側の光学面と、対物レンズＯＬ側の光学面とを有し、対物レンズＯＬ側の光学面は略凸状に形成されている。第２レンズ群Ｌ２を構成する単レンズは、吸水率が０．１％以下であり、比重が１．５以下であるプラスチックによって形成されており、正の屈折力を有している。
【０１１３】
また、第１レンズ群Ｌ１は負の屈折力を有しており、このような第１レンズ群Ｌ１の屈折力ｐ1と、第２レンズ群Ｌ２の屈折力ｐ2とは、下記条件式（５）を満すようになっている。
−３．５≦ｐ1／ｐ2≦−１．８    ………（５）
【０１１４】
また、本実施形態におけるＢＤの有する保護基板の厚さ寸法ｔ1は、下記条件式（２）
を満すようになっている。
０．０６≦ｔ1≦０．１１[mm]    ………（２）
さらに、本実施形態におけるＨＤの有する保護基板の厚さ寸法ｔ2は、下記条件式（３
）を満すようになっている。
０．５４≦ｔ2≦０．６２[mm]    ………（３）
【０１１５】
一方、スプリッタＰＳを挟んでコリメータＣＬと対向する側には、情報記録面ＲＬ１からの反射光束に対して非点収差を付加するためのセンサーレンズＳＥＮと、反射光束を検出するＢＤ及びＨＤ用の光検出器ＰＤとが順次配設されている。
【０１１６】
なお、本実施形態における光源には、青紫色半導体レーザＬＤが用いられているが、所望の短波長の光を出射することが可能であれば、特に限定されるものではなく、例えば、青紫色ＳＨＧレーザ等が適用可能である。
【０１１７】
また、上述したリレーレンズ群ＲＥＬにおける第１レンズ群Ｌ１及び第２レンズ群Ｌ２には、１軸アクチュエータＡＣ２，ＡＣ３がそれぞれ具備されており、ＢＤに対して記録動作等を行う場合には、平行光束を出射するように、つまり対物レンズＯＬの倍率が-1/100より大きく、1/50より小さくなるように、第１レンズ群Ｌ１と第２レンズ群Ｌ２との間隔を１軸アクチュエータＡＣ２によって最適化するようになっている。
【０１１８】
一方、ＨＤに記録動作等を行う場合には、発散光束を出射するように第１レンズ群Ｌ１と第２レンズ群Ｌ２との間隔を、ＢＤに記録動作等を行う場合における間隔よりも小さくなるように１軸アクチュエータＡＣ２によって最適化するようになっている。
【０１１９】
ここで、ＢＤに記録動作等を行う際のリレーレンズ群ＲＥＬと対物レンズＯＬとの合成焦点距離ＴＦ1及び対物レンズＯＬの開口数ＮＡ1と、ＨＤに記録動作等を行う際のリレーレンズ群ＲＥＬと対物レンズＯＬとの合成焦点距離ＴＦ2及び対物レンズＯＬの開口数Ｎ
Ａ2とは、下記条件式（９）を満すようになっている。
０．９５≦ＮＡ1・ＴＦ1／（ＮＡ2・ＴＦ2）≦１．０５    ………（９）
【０１２０】
さらに、ＨＤに記録動作等を行う場合には、１軸アクチュエータＡＣ３により、第２レンズ群Ｌ２を光軸と直交方向にトラッキングする際に、対物レンズＯＬと反対方向、より詳細には、対物レンズＯＬの移動方向の反対方向に移動させるようになっている。
【０１２１】
ここで、対物レンズＯＬのトラッキング時における光軸と直交する方向への移動量の絶対値ＴＯと、リレーレンズ群ＲＥＬの光軸と直交する方向への移動量の絶対値ＴＲとは、下記条件式（１０）を満すようになっている。
０．６≦ＴＯ／ＴＲ≦１．５    ………（１０）
【０１２２】
また、上述した１軸アクチュエータＡＣ２，ＡＣ３は、多層に対して記録可能なＢＤにも対応するようになっている。より具体的には、同一のＢＤにおける異なる深さの情報記録層にアクセスするために、第１レンズ群Ｌ１と第２レンズ群Ｌ２との間隔を１軸アクチュエータによって最適化することにより、すなわち、対物レンズＯＬの倍率を変更することにより、対物レンズＯＬを光軸方向に変位させる、いわゆるフォーカスジャンプを行う際に発生する球面収差を補正するようになっている。
【０１２３】
ここで、ＢＤに記録動作等を行う際の対物レンズＯＬの開口数ＮＡ１は、０．８以上であり、記録動作等に応じて移動する第１レンズ群Ｌ１の移動量δは、下記条件式（４）を満すようになっている。
７．５≦（ＮＡ1・δ）／（ｔ2−ｔ1）≦２２    ………（４）
ただし、ｔ1はＢＤの有する保護基板の厚さ寸法、ｔ2はＨＤの有する保護基板の厚さ寸法である。
【０１２４】
また、ＢＤに記録動作等を行う際のリレーレンズ群ＲＥＬの入射瞳径r1と、ＨＤに記録動作等を行う際のリレーレンズ群ＲＥＬの入射瞳径r2とは、下記条件式（１４）を満すようになっている。
r1×0.8 < r2< r1×1.2    ………（１４）
【０１２５】
なお、上述した１軸アクチュエータＡＣ２，ＡＣ３を用いて、ＢＤと同様に、多層に対して記録可能なＨＤに対応するように構成としてもよい。この場合、光ピックアップ装置ＰＵ１には、対物レンズＯＬが合焦している情報記録層が、どの記録層であるかを判別するための記録層判別手段が具備されている。
【０１２６】
また、上述した光ピックアップ装置ＰＵ１には、ディスクトレイ（図示せず）に収容された光ディスクの種類（例えば、ＢＤ又はＨＤ）を判別し、第１レンズ群Ｌ１を最適位置に移動させるための制御手段が具備されている。
【０１２７】
なお、本実施形態におけるリレーレンズ群ＲＥＬは、対物レンズＯＬの遠方から、第１
レンズ群Ｌ１、第２レンズ群Ｌ２が順次配設された２群構成であるが、特に限定されるものではなく、例えば、第１レンズ群Ｌ１を挟んで第２レンズ群Ｌ２と対向する側、或いは第２レンズ群Ｌ２に対して第１レンズ群Ｌ１と反対の側に、正の屈折力を有する第３レンズ群を加えた３群構成であってもよい。この場合、第３レンズ群においても、上述した第１レンズ群Ｌ１及び第２レンズ群Ｌ２と同様に、１軸アクチュエータが具備され、隣接する第１レンズ群Ｌ１との間隔を最適化するようになっている。
【０１２８】
上述した３群構成のリレーレンズ群の場合、第２レンズ群Ｌ２は対物レンズと対向する側と反対側の一面が略凹状に形成された単レンズからなり、第３レンズ群は、対物レンズと対向する側の一面が略凸状に形成された単レンズからなる。第３レンズ群を構成する単レンズは、吸水率が０．１％以下であり、比重が１．５以下であるプラスチックによって形成されている。
【０１２９】
このような第３レンズ群Ｌ３の屈折力ｐ3と、上述した第１レンズ群Ｌ１の屈折力ｐ1及び第２レンズ群Ｌ２の屈折力ｐ2とは、下記条件式（７）及び（８）を満すようになって
いる。
０．７≦ｐ1／ｐ3≦１．６    ………（７）
−５≦ｐ2／ｐ3≦−３．７    ………（８）
【０１３０】
また、ＢＤに記録動作等を行う際の対物レンズＯＬの開口数ＮＡ１は、０．８以上であり、記録動作等に応じて移動する第１レンズ群Ｌ１の移動量δは、下記条件式（６）を満すようになっている。
８≦（ＮＡ1・δ）／（ｔ2−ｔ1）≦１５    ………（６）
ただし、ｔ1はＢＤの有する保護基板の厚さ寸法、ｔ2はＨＤの有する保護基板の厚さ寸法である。
【０１３１】
さらに、上述した２群構成のリレーレンズ群ＲＥＬと同様に、ＢＤに記録動作等を行う際のリレーレンズ群ＲＥＬと対物レンズＯＬとの合成焦点距離ＴＦ1及び対物レンズＯＬ
の開口数ＮＡ1と、ＨＤに記録動作等を行う際のリレーレンズ群ＲＥＬと対物レンズＯＬ
との合成焦点距離ＴＦ2及び対物レンズＯＬの開口数ＮＡ2とは、下記条件式（９）を満すようになっている。
０．９５≦ＮＡ1・ＴＦ1／（ＮＡ2・ＴＦ2）≦１．０５    ………（９）
【０１３２】
さらに、上述した２群構成のリレーレンズ群ＲＥＬと同様に、ＨＤに記録動作等を行う場合には、１軸アクチュエータにより、第３レンズ群Ｌ３を光軸と直交方向にトラッキングする際に、対物レンズＯＬと反対方向に移動させるようになっている。ここで、対物レンズＯＬのトラッキング時における光軸と直交する方向への移動量の絶対値ＴＯと、リレーレンズ群ＲＥＬの光軸と直交する方向への移動量の絶対値ＴＲとは、下記条件式（１０）を満すようになっている。
０．６≦ＴＯ／ＴＲ≦１．５    ………（１０）
【０１３３】
さらに、上述した２群構成のリレーレンズ群ＲＥＬと同様に、ＢＤに記録動作等を行う際のリレーレンズ群ＲＥＬの入射瞳径r1と、ＨＤに記録動作等を行う際のリレーレンズ群ＲＥＬの入射瞳径r2とは、下記条件式（１４）を満すようになっている。
r1×0.8 < r2< r1×1.2    ………（１４）
【０１３４】
なお、上述した光ピックアップ装置ＰＵ１は、光ディスク用ドライブ装置に組み込むことが可能である。
【０１３５】
次に、光ピックアップ光学系及び光ピックアップ装置ＰＵ１の作用について説明する。
本実施形態における光ピックアップ光学系及び光ピックアップ装置ＰＵ１は、光ディスクの種類よって、すなわち、保護基板の有する厚さ寸法の大きさによってそれぞれ異なる動作をするため、以下において、第１保護基板厚ＰＬ１及び第２保護基板厚ＰＬ２を有する光ディスクに対する動作態様の詳細について、それぞれ説明する。
【０１３６】
まず始めに、ＢＤ、すなわち、第１保護基板厚ＰＬ１を有する光ディスクに対する光ピックアップ装置１の動作について説明する。
第１保護基板厚ＰＬ１を有する光ディスクに対する情報の記録動作時や、第１保護基板厚ＰＬ１を有する光ディスクに記録された情報の再生動作時には、青紫色半導体レーザＬＤから光が出射される。出射された光は、スプリッタＰＳにより反射され、コリメータＣＬで平行光とされる。そして、リレーレンズ群ＲＥＬ、液晶シャッターＬＱＳ、１／４波長板ＱＷＰ及び対物レンズＯＬを透過して（光線ＬＡ１）、第１保護基板厚ＰＬ１を有する光ディスクの記録面ＲＬ１に集光スポットを形成する。この際、１軸アクチュエータＡＣ２により、リレーレンズ群ＲＥＬを構成する第１レンズ群Ｌ１と第２レンズ群Ｌ２との間隔が最適化されて、平行光束が出射される。
【０１３７】
集光スポットを形成した光は、第１保護基板厚ＰＬ１を有する光ディスクの記録面ＲＬ１における情報ピットによって変調され、記録面ＲＬ１によって反射される。そして、この反射光は、対物レンズＯＬ、１／４波長板ＱＷＰ、液晶シャッターＬＱＳ、リレーレンズ群ＲＥＬ、スプリッタＰＳを透過した後、センサーレンズＳＥＮを透過して、非点収差が与えられ、光検出器ＰＤで受光される。以後、このような動作が繰り返し行われ、第１保護基板厚ＰＬ１を有する光ディスクに対する情報の記録動作や、第１保護基板厚ＰＬ１を有する光ディスクに記録された情報の再生動作が完了する。
【０１３８】
次に、ＨＤ、すなわち、第２保護基板厚ＰＬ２を有する光ディスクに対する光ピックアップ装置ＰＵ１の動作について説明する。
第２保護基板厚ＰＬ２を有する光ディスクに対する情報の記録動作時や、第２保護基板厚ＰＬ２を有する光ディスクに記録された情報の再生動作時には、青紫色半導体レーザＬＤから光が出射される。出射された光は、スプリッタＰＳにより反射され、コリメータＣＬで平行光とされる。そして、リレーレンズ群ＲＥＬ、液晶シャッターＬＱＳ、１／４波長板ＱＷＰ及び対物レンズＯＬを透過して（光線ＬＡ２）、第２保護基板厚ＰＬ２を有する光ディスクの記録面ＲＬ２に集光スポットを形成する。この際、１軸アクチュエータＡＣ２により、リレーレンズ群ＲＥＬを構成する第１レンズ群Ｌ１と第２レンズ群Ｌ２との間隔がＢＤに対する動作時よりも小さくなるように最適化されて、発散光束が出射される。
【０１３９】
集光スポットを形成した光は、第２保護基板厚ＰＬ２を有する光ディスクの記録面ＲＬ２における情報ピットによって変調され、記録面ＲＬ２によって反射される。そして、この反射光は、対物レンズＯＬ、１／４波長板ＱＷＰ、液晶シャッターＬＱＳ、リレーレンズ群ＲＥＬ、スプリッタＰＳを透過した後、センサーレンズＳＥＮを透過して、非点収差が与えられ、光検出器ＰＤで受光される。以後、このような動作が繰り返し行われ、第２保護基板厚ＰＬ２を有する光ディスクに対する情報の記録動作や、第２保護基板厚ＰＬ２を有する光ディスクに記録された情報の再生動作が完了する。
【０１４０】
なお、図１６に示すように、第１及び第２保護基板を有する第１，第２光ディスクに記録動作などを行う際に必要な対物レンズの必要開口数NA1,NA2を得るためのリレーレンズ
と対物レンズとを合成した入射瞳径は、略同一とすることが好ましい。
【実施例１】
【０１４１】
次に、光ピックアップ光学系及び光ピックアップ装置ＰＵ１の実施例について説明する
。
まず始めに、各実施例において共通する事項について説明する。実施例１から実施例７における第１種保護基板厚ＰＬ１を有する光ディスク（ＢＤ）は、波長λ1＝４０５ｎｍ
、保護基板の厚さｔ1＝０．１ｍｍ、第１開口数ＮＡ1＝０．８５に設定されており、第２種保護基板厚ＰＬ２を有する光ディスク（ＨＤ）は、波長λ1＝４０５ｎｍ、保護基板の
厚さｔ2＝０．６ｍｍ、第２開口数ＮＡ2＝０．６５であり、対物レンズＯＬの焦点距離ｆ＝２．２ｍｍに設定されている。また、すべての実施例において、BDの記録及び／又は再生を行う場合は、対物レンズに平行光が入射し、HDの記録及び／又は再生を行う場合は、対物レンズに発散光が入射している。
【０１４２】
したがって、実施例１から実施例７における光ピックアップ光学系及び光ピックアップ装置ＰＵ１は、前記式（２）の０．０６≦ｔ1≦０．１１及び前記式（３）の０．５４≦
ｔ2≦０．６２をそれぞれ満している。また、ＮＡ1・ＴＦ1／（ＮＡ2・ＴＦ2）の値は、
１．０となり、前記式（９）の０．９５≦ＮＡ1・ＴＦ1／（ＮＡ2・ＴＦ2）≦１．０５も満している。
【０１４３】
また、実施例１から実施例７におけるリレーレンズ群ＲＥＬを構成するレンズは、すべてＺｅｏｎｅｘ（日本ゼオン社製）等のポリオレフィン系のプラスチックによって形成され、このポリオレフィン系のプラスチックの吸水率は、ほぼ０％である。
【０１４４】
次に、各実施例の詳細について説明する。
まず始めに、実施例１について説明する。
図２及び図３に示すように、本実施例におけるリレーレンズ群ＲＥＬは、負の屈折力を有する第１レンズ群と、正の屈折力を有する第２レンズ群とからなる２群構成を有している。
【０１４５】
次に、本実施例おける各レンズのデータと、非球面データとを、下記表１及び表２にそれぞれ示し、表１における第１種保護基板厚ＰＬ１及び第２種保護基板厚ＰＬ２を有する光ディスクにおけるｄｎの値と絞りの値を、下記表３に示す。
【０１４６】
【表１】
2006260746.tif 000003
【０１４７】
ここで、表中の「ＯＢＪ」とは、物体位置を示しており、半導体レーザＬＤから出射された光を、コリメータＣＬによって平行光にコリメートしているため、物体は無限遠方にあることとなる。また、表中の記号ｒ、ｄ、ｎ（４０５）、ｎｄは、曲率半径、面間隔、波長４０５ｎｍにおける屈折率、ｄ線（５８７ｎｍ）における屈折率をそれぞれ示す。さらに、面番号中の「絞り」の文字が併記された面には、対物レンズＯＬの面上に液晶シャ
ッター等の開口制限部材が設けられている。
【０１４８】
【表２】
2006260746.tif 000004
【０１４９】
ここで、表中におけるＫは、円錐定数を表し、Ａ２Ｉ（Ｉは、２，３，４，…）は、非球面係数を表す。
なお、この非球面形状は、光軸方向をｚ軸に、この光軸方向と直交する方向に２つの直交する座標軸ｘ軸、ｙ軸をとり、非球面上の点の座標（ｘ、ｙ、ｚ）は、下記条件式（１２）及び（１３）を満すように決定される。
【０１５０】
【数１】
2006260746.tif 000005
………（１２）
【０１５１】
ここで、ｘ（ｈ）は光軸方向の軸（光の進行方向を正とする）、Ｋは円錐定数、Ａ２Ｉ（Ｉは、２，３，４，…）は非球面係数、ｈ（ｎｍ）は光軸に垂直な方向の高さ、ｒは曲率半径である。
【０１５２】
【数２】
2006260746.tif 000006
………（１３）
【０１５３】
【表３】
2006260746.tif 000007
【０１５４】
その結果、（ＮＡ1・δ）／（ｔ2−ｔ1）の値は、９．４であり、前記式（１）及び（
４）の７．５≦（ＮＡ1・δ）／（ｔ2−ｔ1）≦２２を満している。
【０１５５】
さらに、ｐ1／ｐ2の値は、−２．０５であり、前記式（５）の−３．５≦ｐ1／ｐ2≦−１．８を満している。
【０１５６】
次に、実施例２について説明する。
図４及び図５に示すように、本実施例におけるリレーレンズ群ＲＥＬは、前記実施例１と同様に、負の屈折力を有する第１レンズ群と、正の屈折力を有する第２レンズ群とからなる２群構成を有している。
【０１５７】
本実施例おける各レンズのデータと、非球面データとを、下記表４及び表５にそれぞれ示し、表４における第１種保護基板厚ＰＬ１及び第２種保護基板厚ＰＬ２を有する光ディスクにおけるｄｎの値と絞りの値を、下記表６に示す。
【０１５８】
【表４】
2006260746.tif 000008
【０１５９】
【表５】
2006260746.tif 000009
【０１６０】
【表６】
2006260746.tif 000010
【０１６１】
その結果、（ＮＡ1・δ）／（ｔ2−ｔ1）の値は、１３．６であり、前記式（１）及び
（４）の７．５≦（ＮＡ1・δ）／（ｔ2−ｔ1）≦２２を満している。
【０１６２】
さらに、ｐ1／ｐ2の値は、−２．８６であり、前記式（５）の−３．５≦ｐ1／ｐ2≦−１．８を満している。
【０１６３】
次に、実施例３について説明する。
図６及び図７に示すように、本実施例におけるリレーレンズ群ＲＥＬは、前記実施例１及び実施例２と同様に、負の屈折力を有する第１レンズ群と、正の屈折力を有する第２レンズ群とからなる２群構成を有している。
【０１６４】
本実施例における各レンズのデータと、非球面データとを、下記表７及び表８にそれぞれ示し、表７における第１種保護基板厚ＰＬ１及び第２種保護基板厚ＰＬ２を有する光ディスクにおけるｄｎの値と絞りの値を、下記表９に示す。
【０１６５】
【表７】
2006260746.tif 000011
【０１６６】
【表８】
2006260746.tif 000012
【０１６７】
【表９】
2006260746.tif 000013
【０１６８】
その結果、（ＮＡ1・δ）／（ｔ2−ｔ1）の値は、２０．４であり、前記式（１）及び
（４）の７．５≦（ＮＡ1・δ）／（ｔ2−ｔ1）≦２２を満している。
【０１６９】
さらに、ｐ1／ｐ2の値は、−３．０であり、前記式（５）の−３．５≦ｐ1／ｐ2≦−１．０を満している。
【０１７０】
次に、実施例４について説明する。
図８及び図９に示すように、本実施例におけるリレーレンズ群ＲＥＬは、前記実施例１、実施例２及び実施例３と同様に、負の屈折力を有する第１レンズ群と、正の屈折力を有する第２レンズ群とからなる２群構成を有している。また、本実施例における光ピックアップ光学系は、第２種保護基板厚ＰＬ２を有する光ディスクに記録動作等を行う際に、第２レンズ群を対物レンズのトラッキングに応じて移動させて、トラッキングのコマ収差を補正するように構成されている。
【０１７１】
本実施例における各レンズのデータと、非球面データとを、下記表１０及び表１１にそれぞれ示し、表１０における第１種保護基板厚ＰＬ１及び第２種保護基板厚ＰＬ２を有する光ディスクにおけるｄｎの値と絞りの値を、下記表１２に示す。
【０１７２】
【表１０】
2006260746.tif 000014
【０１７３】
【表１１】
2006260746.tif 000015
【０１７４】
【表１２】
2006260746.tif 000016
【０１７５】
その結果、（ＮＡ1・δ）／（ｔ2−ｔ1）の値は、２０．４であり、前記式（１）及び
（４）の７．５≦（ＮＡ1・δ）／（ｔ2−ｔ1）≦２２を満している。
【０１７６】
さらに、ｐ1／ｐ2の値は、−３．２９であり、前記式（５）の−３．５≦ｐ1／ｐ2≦−１．８を満している。
【０１７７】
さらに、ＴＯ／ＴＲの値は、０．７８であり、前記式（１０）の０．６≦ＴＯ／ＴＲ≦１．５を満している。
【０１７８】
次に、実施例５について説明する。
図１０及び図１１に示すように、本実施例におけるリレーレンズ群ＲＥＬは、前記実施例１、実施例２、実施例３及び実施例４と同様に、負の屈折力を有する第１レンズ群と、正の屈折力を有する第２レンズ群とからなる２群構成である。また、本実施例における光ピックアップ光学系は、前記実施例４と同様に、第２種保護基板厚ＰＬ２を有する光ディスクに記録動作等を行う際に、第２レンズ群を対物レンズのトラッキングに応じて移動させて、トラッキングのコマ収差を補正するように構成されている。
【０１７９】
本実施例における各レンズのデータと、非球面データとを、下記表１３及び表１４にそれぞれ示し、表１３における第１種保護基板厚ＰＬ１及び第２種保護基板厚ＰＬ２を有する光ディスクにおけるｄｎの値と絞りの値を、下記表１５に示す。
【０１８０】
【表１３】
2006260746.tif 000017
【０１８１】
【表１４】
2006260746.tif 000018
【０１８２】
【表１５】
2006260746.tif 000019
【０１８３】
その結果、（ＮＡ1・δ）／（ｔ2−ｔ1）の値は、１１．９であり、前記式（１）及び
（４）の７．５≦（ＮＡ1・δ）／（ｔ2−ｔ1）≦２２を満している。
【０１８４】
さらに、ｐ1／ｐ2の値は、−２．５６であり、前記式（５）の−３．５≦ｐ1／ｐ2≦−１．８を満している。
【０１８５】
さらに、ＴＯ／ＴＲの値は、１．３３であり、前記式（１０）の０．６≦ＴＯ／ＴＲ≦１．５を満している。
【０１８６】
次に、実施例６について説明する。
図１２及び図１３に示すように、本実施例におけるリレーレンズ群ＲＥＬは、負の屈折力を第１レンズ群Ｌ１と、正の屈折力を有する第２レンズ群Ｌ２と、正の屈折力を有する第３レンズ群Ｌ３とからなる３群構成である。
【０１８７】
本実施例における各レンズのデータと、非球面データとを、下記表１６及び表１７にそれぞれ示し、表１６における第１種保護基板厚ＰＬ１及び第２種保護基板厚ＰＬ２を有する光ディスクにおけるｄｎの値と絞りの値を、下記表１８に示す。
【０１８８】
【表１６】
2006260746.tif 000020
【０１８９】
【表１７】
2006260746.tif 000021
【０１９０】
【表１８】
2006260746.tif 000022
【０１９１】
その結果、（ＮＡ1・δ）／（ｔ2−ｔ1）の値は、９．３５であり、前記式（１）の７
．５≦（ＮＡ1・δ）／（ｔ2−ｔ1）≦２２と、前記式（６）の８≦（ＮＡ1・δ）／（ｔ2−ｔ1）≦１５を満している。
【０１９２】
さらに、ｐ1／ｐ3及びｐ2／ｐ3の値は、１．４２と、−４．１４であり、前記式（７）の−０．７≦ｐ1／ｐ3≦１．６と、前記式（８）の−５≦ｐ2／ｐ3≦−３．７を満している。
【０１９３】
次に、実施例７について説明する。
図１４及び図１５に示すように、本実施例におけるリレーレンズ群ＲＥＬは、負の屈折力を有する第１レンズ群Ｌ１と、正の屈折力を有する第２レンズ群Ｌ２と、正の屈折力を有する第３レンズ群Ｌ３とからなる３群構成である。また、本実施例における光ピックアップ光学系及び光ピックアップ装置ＰＵ１は、第２種保護基板厚ＰＬ２を有する光ディスクに記録動作等を行う際に、第３レンズ群Ｌ３を対物レンズのトラッキング動作に応じて移動させて、トラッキング動作のコマ収差を補正するように構成されている。
【０１９４】
本実施例における各レンズのデータと、非球面データとを、下記表１９及び表２０にそれぞれ示し、表１９における第１種保護基板厚ＰＬ１及び第２種保護基板厚ＰＬ２を有する光ディスクにおけるｄｎの値と絞りの値を、下記表２１に示す。
【０１９５】
【表１９】
2006260746.tif 000023
【０１９６】
【表２０】
2006260746.tif 000024
【０１９７】
【表２１】
2006260746.tif 000025
【０１９８】
その結果、（ＮＡ1・δ）／（ｔ2−ｔ1）の値は、１３．６であり、前記式（１）の７
．５≦（ＮＡ1・δ）／（ｔ2−ｔ1）≦２２と、前記式（６）の８≦（ＮＡ1・δ）／（ｔ2−ｔ1）≦１５を満している。
【０１９９】
さらに、ｐ1／ｐ3及びｐ2／ｐ3の値は、０．８４と、−４．３９であり、前記式（７）の−０．７≦ｐ1／ｐ3≦１．６と、前記式（８）の−５≦ｐ2／ｐ3≦−３．７を満している。
【０２００】
さらに、ＴＯ／ＴＲの値は、１．１５であり、前記式（１０）の０．６≦ＴＯ／ＴＲ≦１．５を満している。
【０２０１】
以上より、本実施形態における光ピックアップ光学系及び光ピックアップ装置ＰＵ１によれば、第１種保護基板厚ＰＬ１を有するＢＤに対して対物レンズＯＬと略平行又は若干収束する光束を出射した状態で球面収差が補正されている対物レンズＯＬを用いた際に、リレーレンズ群ＲＥＬの少なくとも１つのレンズ群を移動させて、対物レンズＯＬに発散光が出射するように対物レンズＯＬの使用倍率を変更することで、第２種保護基板厚ＰＬ２を有するＨＤにおいて発生する球面収差を補正することができる。
【０２０２】
その際、上記条件式（１）の下限値を下回らないようにすることで、リレーレンズ群ＲＥＬが偏芯した際に生ずる収差を低減させるとともに、良好なスポットを記録面上に発生させることが可能となり、これによって、良好な記録信号及び再生信号の少なくとも１つの信号を得ることができる。また、一般に１軸アクチュエータＡＣ２，ＡＣ３の移動量と偏芯精度とは比例するため、上記条件式（１）の上限値を超えないようにすることで、可動レンズの移動量が過大となることを防止することが可能となり、これによって、１軸アクチュエータＡＣ２，ＡＣ３に掛かる負荷が低減され、移動に伴う偏芯量の低減とともに、光ピックアップ装置ＰＵ１の小型化を図ることできる。
【図面の簡単な説明】
【０２０３】
【図１】光ピックアップ装置の内部構成を示す概略図である。
【図２】第１実施例における第１種保護基板厚を有する光ディスク使用時の態様を示す断面図である。
【図３】第１実施例における第２種保護基板厚を有する光ディスク使用時の態様を示す断面図である。
【図４】第２実施例における第１種保護基板厚を有する光ディスク使用時の態様を示す断面図である。
【図５】第２実施例における第２種保護基板厚を有する光ディスク使用時の態様を示す断面図である。
【図６】第３実施例における第１種保護基板厚を有する光ディスク使用時の態様を示す断面図である。
【図７】第３実施例における第２種保護基板厚を有する光ディスク使用時の態様を示す断面図である。
【図８】第４実施例における第１種保護基板厚を有する光ディスク使用時の態様を示す断面図である。
【図９】第４実施例における第２種保護基板厚を有する光ディスク使用時の態様を示す断面図である。
【図１０】第５実施例における第１種保護基板厚を有する光ディスク使用時の態様を示す断面図である。
【図１１】第５実施例における第２種保護基板厚を有する光ディスク使用時の態様を示す断面図である。
【図１２】第６実施例における第１種保護基板厚を有する光ディスク使用時の態様を示す断面図である。
【図１３】第６実施例における第２種保護基板厚を有する光ディスク使用時の態様を示す断面図である。
【図１４】第７実施例における第１種保護基板厚を有する光ディスク使用時の態様を示す断面図である。
【図１５】第７実施例における第２種保護基板厚を有する光ディスク使用時の態様を示す断面図である。
【図１６】光ピックアップ装置の別の実施例の内部構成を示す概略図である。
【符号の説明】
【０２０４】
ＰＵ１  光ピックアップ装置
ＡＣ１  ３軸アクチュエータ
ＡＣ２，ＡＣ３  １軸アクチュエータ
ＲＥＬ  リレーレンズ群
Ｌ１  第１レンズ群
Ｌ２  第２レンズ群
ＬＤ  青紫色半導体レーザ
ＯＬ  対物レンズ
ＰＤ  光検出器
ＰＬ１  第１種保護基板厚
ＰＬ２  第２種保護基板厚
【図１】
2006260746.tif 000026
【図２】
2006260746.tif 000027
【図３】
2006260746.tif 000028
【図４】
2006260746.tif 000029
【図５】
2006260746.tif 000030
【図６】
2006260746.tif 000031
【図７】
2006260746.tif 000032
【図８】
2006260746.tif 000033
【図９】
2006260746.tif 000034
【図１０】
2006260746.tif 000035
【図１１】
2006260746.tif 000036
【図１２】
2006260746.tif 000037
【図１３】
2006260746.tif 000038
【図１４】
2006260746.tif 000039
【図１５】
2006260746.tif 000040
【図１６】
2006260746.tif 000041